(57)【要約】      （修正有）【課題】改修工事を行う建築物自体の雰囲気や周囲の景観になじみやすい建築工事用シートを提供する。【解決手段】建築物の外側を被覆する建築工事用シート１において、建築工事用シート１に被覆される建築物の部位の外観写真１１が表面に付された建築工事用シート１とする。建築工事用シート１は、複数の分割シートに分割されてなり、各分割シートを連結した状態で、建築工事用シート１に被覆される建築物の部位の全体が外観写真１１として表されることが好ましい。また、外観写真１１が、実寸で付されていることが好ましい。【選択図】図１
0003196473.tif 000002
【実用新案登録請求の範囲】
【請求項１】
建築物の外側を被覆する建築工事用シートにおいて、
前記建築工事用シートに被覆される前記建築物の部位の外観写真が表面に付されていることを特徴とする建築工事用シート。
【請求項２】
前記建築工事用シートは、複数の分割シートに分割されてなり、各分割シートを連結した状態で、前記建築工事用シートに被覆される前記建築物の部位の全体が前記外観写真として表されることを特徴とする請求項１に記載の建築工事用シート。
【請求項３】
前記外観写真が、実寸で付されていることを特徴とする請求項１または２に記載の建築工事用シート。
【請求項４】
メッシュ材よりなることを特徴とする請求項１から３のいずれか１項に記載の建築工事用シート。
【考案の詳細な説明】
【技術分野】
【０００１】
本考案は、建築工事用シートに関し、さらに詳しくは、建築物等の改修工事に際し、建築物の外側を被覆する建築工事用シートに関する。
【背景技術】
【０００２】
建築物の改修工事に際し、建築物の外側に形成した足場を被覆するように、建築工事用シートが設けられることが一般的である。建築工事用シートを用いることで、建築資材の落下や塵埃の飛散の防止、コンクリート材の養生、防音等の目的を果たすことができる。
【０００３】
この種の建築工事用シートは、一般的には無地のシートとして製造されている。あるいは、文字や画像等がシートの表面に印刷されたり、別体としてシート表面に添付されたりする場合もある（例えば特許文献１参照）。印刷される文字や画像としては、建築物の完成形状や工期、施工業者名等の情報、あるいは工事現場の雰囲気を和らげるためのデザイン画やイラスト画等を挙げることができる。
【先行技術文献】
【特許文献】
【０００４】
【特許文献１】実用新案登録第３１３５７４４号公報
【考案の概要】
【考案が解決しようとする課題】
【０００５】
建築工事用シートは、大きな面積を占めるものであり、無地のシートや情報等が印刷、添付されたシートでは、建築工事を行っていることが一目瞭然でとなり、周囲の景観にもなじまない。これにより、通行人や近隣住民に不快な印象を与えてしまう場合がある。特に、歴史的な建築物や風情のある建築物の改修工事を行う場合に、建築工事用シートが、その建築物自体や周囲景観が有する歴史的な雰囲気や風情を壊してしまう可能性がある。
【０００６】
本考案が解決しようとする課題は、改修工事を行う建築物自体の雰囲気や周囲の景観になじみやすい建築工事用シートを提供することにある。
【課題を解決するための手段】
【０００７】
上記課題を解決するために、本考案にかかる建築工事用シートは、建築物の外側を被覆する建築工事用シートにおいて、前記建築工事用シートに被覆される前記建築物の部位の外観写真が表面に付されていることを要旨とする。
【０００８】
ここで、前記建築工事用シートは、複数の分割シートに分割されてなり、各分割シートを連結した状態で、前記建築工事用シートに被覆される前記建築物の部位の全体が前記外観写真として表されるとよい。また、前記建築工事用シートには、前記外観写真が、実寸で付されているとよい。そして、前記建築工事用シートは、メッシュ材よりなることが好ましい。
【考案の効果】
【０００９】
上記考案にかかる建築工事用シートにおいては、その建築工事用シートによって被覆する建築物の部位の写真が付されている。これにより、建築物の所定の部位を被覆させて建築工事用シートを設けた際に、あたかも被覆された建築物の部位が建築工事用シート上に再現されたように見える。これにより、明らかにその部位の改修工事を行っているという印象を見る者に与えにくく、その建築物の他の部位や、周囲の景観によくなじむ。これにより、その建築物自体や周囲の景観が有する雰囲気や風情に大きな影響を与えずに、改修工事を進めることができる。
【００１０】
ここで、建築工事用シートが、複数の分割シートに分割されてなり、各分割シートを連結した状態で、建築工事用シートに被覆される建築物の部位の全体が外観写真として表される場合には、建築工事用シートの取り扱いの利便性と、雰囲気や景観への調和とを両立することができる。
【００１１】
また、建築工事用シートに、外観写真が、実寸で付されている場合には、被覆される建築物が建築工事用シートに忠実に再現され、周囲の景観に一層よくなじむ。また、建築物の一部のみを建築工事用シートで被覆する場合にも、被覆されない部位とよく調和する。
【００１２】
そして、建築工事用シートが、メッシュ材よりなる場合には、シート材に写真が付されているという人工的な印象を与えにくい。また、メッシュ材の通気性により、風圧によるシートのめくれ上がり等の影響を低くすることができるとともに、作業環境を高めることができる。
【図面の簡単な説明】
【００１３】
【図１】本考案の一実施形態にかかる建築工事用シートの一例を示す正面図である。
【図２】上記建築工事用シートを建築物に取り付けた状態を示す写真である。
【考案を実施するための形態】
【００１４】
以下、本考案の一実施形態にかかる建築工事用シート（以下単に「シート」と称する場合がある）について、図面を参照しながら詳細に説明する。
【００１５】
図１に、本考案の一実施形態にかかる建築工事用シート１の正面図を示す。建築工事用シート１は、複数の長方形の分割シート１０（１０ａ，１０ｂ，１０ｃ．．．）に縦横に分割されてなっている。
【００１６】
各分割シート１０は、合成繊維製のメッシュ材よりなる。メッシュ材を構成する合成繊維としては、オレフィン系樹脂、エステル系樹脂、塩化ビニル系の樹脂を例示することができ、難燃性等の特性を付与するために、適宜添加剤の添加や表面処理が行われていてもよい。各分割シート１０の端縁は、適宜折り返して縫製され、折り返し部にハトメ孔（不図示）が形成されている。
【００１７】
建築工事用シート１は、建築物の改修工事に使用されるものであり、建築物の外側に設けた足場の外側を覆うようにして、足場に固定される。この際、各分割シート１０に設けたハトメ孔に適当な紐状部材や係止具を挿通することで、各分割シート１０を相互に連結するとともに、足場に対して取り付けることができる。
【００１８】
建築工事用シート１には、建築工事用シート１によって被覆される建築物の外観を写した写真１１、具体的には、その建築物全体のなかで、建築工事用シート１によって被覆される部位の外観を写した写真１１が、印刷によって付されている。写真１１は、各分割シート１０に分割して印刷されており、分割シート１０を正しい相互配置で連結した際に、全体が１つながりの写真１１となって、シート１に被覆される建築物の部位全体が表されるようになっている。
【００１９】
写真１１は、改修工事開始前の建築物を実際に撮影したものであり、実寸大となるように、シルクスクリーン印刷、インクジェット印刷等によってシート１１を構成するメッシュ材の表面にカラー印刷してある。写真１１は、分割シート１０の大きさに合わせて、複数に分割して印刷されているが、分割シート１０の境界は、可能な限り、建築物に設けられた構造物がなす直線に対応した写真１１上の位置に設けられている。例えば、図１において、境界１３ａは、建築物（ビル）の上部の突出した軒の端縁に対応する位置に形成されている。境界１３ｂ，１３ｃは、窓の端縁に対応する位置に形成されている。境界１３ｄは、窓材に設けられた格子材に対応する位置に形成されている。なお、建築物よりも上方に相当する部位１２については、メッシュ材の表面に何も印刷していない。
【００２０】
図２は、上記のような建築工事用シート１を、建築物（ビル）Ｂの外壁の１つの面Ｂ１に設けた足場の外側を覆うように設置した状態における、実際の写真である。上記のように、建築工事用シート１には、建築物Ｂの面Ｂ１を撮影した写真１１が実寸で印刷されており、実際の建築物Ｂの面Ｂ１を構成する各部の位置に合わせるようにして、建築工事用シート１が張り渡されている。
【００２１】
このように、実際の建築物のある面を撮影した写真１１を印刷した建築工事用シート１によって、改修工事用の足場を覆うことで、改修工事中であっても、改修工事を行っていない状態にあるその建築物の外観を、建築工事用シート１の上に再現することができる。これにより、従来一般の無地の建築工事用シートや、工事後の完成予想図や工期等の情報を付した建築用工事用シートを用いる場合に、シートに囲まれた部位がその建築物全体や周囲の景観から独立し、工事を行っていることを一目瞭然に周囲に伝えるのとは異なり、その建築物自体の雰囲気や、その建築物の周囲の景観に調和しやすく、その建築物や周辺の景観が有する印象や風情を損なうような影響を与えにくい。遠方から見れば、建築工事用シート１に印刷された写真１１が、あたかも工事を行っていない建築物そのもののように見える可能性もある。また、建築工事用シートを用いて改修工事を行っていることが分かったとしても、景観に配慮しながら工事を行っているとの好ましい印象を見る者に与えやすい。特に、改修工事を行う対象が、歴史的な建築物や、独特の風情を有する建築物である場合、またその建築物が歴史的な風情のある地区や景勝地に立地している場合には、その建築物の写真１１を印刷した建築工事用シート１を用いることで、その建築物自体や周辺を訪れる者に対して、違和感や不快感を与えにくくなる。
【００２２】
本建築工事用シート１においては、改修工事を開始する前に撮影した実際の建築物の写真１１を印刷することで、シート１で被覆する建築物の部位の外観を忠実に再現することができる。例えば、建築物の壁面に形成された陰影や、壁面の着色、退色等、本来の建築物に形成された構造物ではないが視認される事象も、再現することができる。これにより、シート１に印刷された写真１１に立体感を付与することができ、また、シート１を建築物に張り渡した際に、本来の建築物に近いリアリティを、見る者に与えることができる。コンピューターグラフィックス等を用いて描画し、建築工事用シートに印刷することでも、ある程度は実際の建築物の外観に近づけることが可能ではあるが、このように細部まで忠実に本来の建築物の姿を再現することは困難である。特に、歴史的な建築物においては、長い年月の間に風化や外来物（汚れ、苔等）の付着、変色等の変化を重ねて受けているため、表面に独特の風合いが形成され、建築物に重厚な風情を与えるのに寄与している場合が多いが、写真を利用することで、このような独特の風合いも忠実に再現し、建築物の雰囲気や周囲の景観に調和しやすくなっている。
【００２３】
上記のように、本建築工事用シート１においては、建築物全体の中で、そのシート１で被覆する面を正面から見た状態の写真１１が印刷されている。これとは異なり、建築工事用シートの表面に、工事完了後の建築物の予想される外観を、例えば全体の斜視図等として印刷する形態が公知である。このような場合には、建築物の全体像が分かりやすい反面、その建築物の写真や画像が建築工事用シートに人工的に印刷されているということが一目瞭然となる。この場合には、その建築物自体や周囲の景観に建築工事用シートが調和しにくく、建築物や周辺の雰囲気や景観を損ねないという効果が得られにくい。
【００２４】
さらに、本建築工事用シート１においては、シート１で被覆する建築物の部位の寸法を忠実に再現してシート１上に写真１１を印刷することにより、建築物の外観を一層忠実に再現し、建築物自体や周囲の雰囲気や景観を損ねにくくなっている。建築物の写真１１を実寸大でシート１上に再現するためには、建築物の写真１１を撮影する際に、遠近法の影響を極力排することが好ましい。このためには、１枚の写真で建築物のシート１で被覆する部位全体を撮影するのではなく、建築物のシート１で被覆する部位を複数の領域に分割し、各領域の正面から高精度に撮影することが好ましい。なお、実寸との概念には、建築物の寸法と完全に同一である場合のみならず、建築物全体としての印象を大きく損なわない範囲、つまり±１０％程度の範囲まで含まれるものとする。
【００２５】
本建築工事用シート１は、改修工事の種類や規模に応じて、建築物の全周を覆うように設けても、図２のように、建築物の一部の面のみ覆うように設けてもよい。特に一部の面のみを覆う場合には、上記のように、建築物の写真１１を実寸大でシート１に印刷し、しかもその面を構成する各部の位置を実際の建築物と写真１１とで合わせるようにシート１を配置することで、シート１上に印刷された写真１１を、実際の建築物のシート１で被覆されていない部位と違和感なく連続的に隣接させることができる。この場合に、図２のように、建築物Ｂの改修工事を行う面Ｂ１と交差する足場の側面に相当する位置にも、シート１に覆われた部位１４を設けておき、この側面の部位１１にも、正面側の面Ｂ１の写真１１に連続させるように、建築物Ｂの写真１１またはそれを加工して形成した画像を印刷しておくことで、シート１に被覆されていない建築物Ｂの壁面と一体に連続した印象を与えやすくなる。例えば、図２においては、シート１に囲まれた領域が、あたかも、側面の部位１４の幅に相当する長さだけ正面側にせり出すように建築物Ｂに形成された本来の壁面であるかのような印象を与えることができる。
【００２６】
また、本建築工事用シート１においては、従来一般の建築工事用シートと同様に、複数の分割シート１０を縦横に連結して必要な面積を被覆することで、高い取扱い性を確保しながら、全分割シート１０を連結することで、建築物のある面の外観を再現する１枚の写真１１となり、建築物自体の雰囲気や周囲の景観との調和性を獲得している。複数の分割シート１０を接合して１枚の写真１１を形成することで、各分割シート１０の端縁が視認されてしまい、シート１上の写真１１を本来の建築物の外観に近似させる効果が低減される可能性はあるが、境界１３ａ〜１３ｄについて例示したように、分割シート１０の端縁（境界）を建築物に設けられた構造物がなす直線に一致させて設けることで、分割シート１０の端縁を目立たなくすることができる。また、印刷した写真が分割シート１０の間でずれないようにするために、ハトメ孔を正確な位置に形成するとともに、分割シート１０を連結する際に、隣接する分割シート１０間でハトメ孔の位置を正確に合わせることが好ましい。また、ハトメ孔に挿通するロープを、シート１の色、つまりシート１に印刷された写真上のハトメ項周辺の部位の色に合わせておけば、分割シート１０間の接合部が目立ちにくくなり、各分割シート１０に印刷された写真１１を自然につなげることができる。
【００２７】
上記で説明した形態においては、建築工事用シート１がメッシュ材よりなっている。メッシュ材の通気性により、風圧によってシート１がめくれ上がったり、シート１を固定している足場に大きな負荷が印加されたりするのを、避けることができる。また、シート１に囲まれた空間の作業環境が高くなる。そして、メッシュ材においては、同じ樹脂材料よりなる実質的に孔構造を有さない平滑なシート材と比較して、表面の光沢および反射が低減されているので、表面に建築物の写真１１を印刷した際に、コンクリートや煉瓦、木材等、光沢や反射を有さない建材の質感をよく表現することができる。また、実質的に孔構造を有さない平滑なシート材に印刷した写真は、平面的な印象を与えてしまうのに対し、メッシュ材においては、メッシュ孔を光が透過する効果により、表面に印刷された写真に奥行きのある印象が付与される。これらの効果により、メッシュ材を用いることで、人工的に印刷された写真であるとの印象を低減し、シート１に印刷された写真を建築物の雰囲気および周辺の景観とよく調和させることができる。
【００２８】
以上、本考案の実施形態について詳細に説明したが、本考案は上記実施形態に何ら限定されるものではなく、本考案の要旨を逸脱しない範囲で種々の改変が可能である。上記の実施形態においては、建築工事用シート１で被覆する建築物として、ビルを例に挙げて説明したが、本建築工事用シート１は、ビルに限らず、低層住宅、社寺仏閣等、各種の建物や、橋やトンネル等の土木構造物等、種々の建築物に適用することができる。また、本考案においては、被覆する建築物を忠実に再現する観点から、改修工事を行うに際し、工事前の実際の建築物の外観写真１１を建築工事用シート１に印刷しているが、新築工事を行うに際し、完成予定の建築物のある面を写真と同程度に忠実に表現した画像を実寸大で建築用シートに印刷し、同様の目的で使用することもできる。
【符号の説明】
【００２９】
１                建築工事用シート
１０              分割シート
１１              写真
１３ａ〜１３ｄ    境界
Ｂ                建築物（ビル）
Ｂ１              建築物の面
【図１】
0003196473.tif 000003
【図２】
0003196473.tif 000004